(57)【特許請求の範囲】
【請求項１】
密封しようとする物質が透過できない材料で作成され、物質を出し入れする為の開口を有し、開口から入れられた物質を保持する物質保持空間を提供する容器本体と；
上記物質が透過できない材料で作成され、容器本体の上記開口内に配置される開口内配置部分及び上記開口内配置部分を上記開口内に配置させることにより容器本体の外表面において上記開口の周縁を取り囲む開口周縁部分に対面する開口周縁対面部分を有していて、容器本体の上記開口内に開口内配置部分を配置させるとともに容器本体の外表面の開口周縁部分に開口周縁対面部分を対面させることにより上記開口を閉塞し上記開口に着脱可能に固定される蓋と；
を備えた密封容器において、容器本体の開口と蓋との間の隙間を密封する密封容器シール構造であって：
弾性を有した材料により形成され、蓋の上記開口内配置部分の外周辺に沿い配置された環状の密封部材と；
上記物質が透過できず上記物質により寸法を変化させることが無い材料で環状に作成され、上記開口の内周辺に沿い配置され、蓋の上記開口内配置部分が容器本体の上記開口内に配置されたときに密封部材を蓋の上記開口内配置部分の外周辺上に押圧するとともに上記開口周縁対面部分上に押圧し、さらに密封部材を上記開口の中心線に沿った方向における密封部材の寸法の半分以上を上記開口の半径方向の外方から覆う密封部材保持体と；
を備えていることを特徴とする密封容器シール構造。
【請求項２】
密封部材保持体の外周面の一部分が、上記外周面の周方向に延出し環状に形成され、上記外周面の他部分よりも上記外周面の半径方向の外方に向かい突出した環状突出部を有しており、
密封部材保持体の外周面の環状突出部は、密封部材保持体が容器本体の上記開口の内周辺に沿い配置されたときに上記開口の内周辺に接触する、
ことを特徴とする請求項１に記載の密封容器シール構造。
【請求項３】
密封部材保持体の前記外周面の断面は前記環状突出部を頂点としたテーパ形状をしている、ことを特徴とする請求項２に記載の密封容器シール構造。
【請求項４】
密封部材保持体は密封部材の弾性よりも小さい弾性を有していて、
密封部材保持体の内周面は、蓋の開口周縁対面部分に隣接した第１領域と、上記第１領域に対し上記内周面の中心線に沿った方向において蓋の開口周縁対面部分とは反対側に位置した第２領域と、を含んでおり、
上記第１領域は、蓋の開口周縁対面部分に接近するのに伴い径を拡大させるテーパ形状に形成されていて、蓋の上記開口内配置部分が容器本体の上記開口内に配置されたときに密封部材を蓋の上記開口内配置部分の外周辺上に押圧するとともに上記開口周縁対面部分上に押圧し、
上記第２領域は、上記第１領域における最も小さな直径よりも大きな直径を有し上記第１領域との間に段部を形成しており、
蓋の上記開口内配置部分の外周辺において、蓋の上記開口内配置部分が容器本体の上記開口内に配置されたときに密封部材保持体の内周面の上記段部よりも密封部材保持体の内周面の中心線に沿った方向において内方に配置され上記中心線の半径方向の外方に向かい突出した突起を含んでおり、
蓋の上記開口内配置部分の外周辺の上記突起は、密封部材保持体において蓋の上記開口周縁対面部分に対面した外端面に対し蓋の上記開口周縁対面部分が接触したときに、密封部材保持体の内周面の上記段部よりも、上記蓋の上記開口内配置部分の外周辺の中心線に沿った方向において上記蓋の上記開口周縁対面部分から遠い位置に配置されている、
ことを特徴とする請求項１乃至３の何れか１項に記載の密封容器シール構造。
【請求項５】
容器本体の上記開口の内周辺には、密封部材保持体が容器本体の上記開口の内周辺に沿い配置されたときに密封部材保持体において蓋の上記開口周縁対面部分とは反対側を向いている内端面が接触する段部が形成されていて、
密封部材保持体の上記内端面には、環状の凹所が形成されている、
ことを特徴とする請求項１乃至４のいずれか１項に記載の密封容器シール構造。
【発明の詳細な説明】
【技術分野】
【０００１】
この発明は、密封容器シール構造に関係している。
【背景技術】
【０００２】
物質を密封する為の密封容器は、密封しようとする物質が透過できない材料で作成され物質を出し入れする為の開口を有し開口から入れられた物質を保持する物質保持空間を提供する容器本体と、上記物質が透過できない材料で作成され容器本体の上記開口に着脱可能に配置され上記開口を閉塞する蓋と、容器本体の外表面において上記開口を取り囲む部分又は上記開口の内周辺と蓋との間に介在され容器本体の上記開口を蓋が閉塞したときに蓋に押圧されて容器本体の外表面において上記開口を取り囲む部分又は上記開口の内周辺と蓋との間の隙間を密封する環状の密封部材と、を備えている。
【０００３】
密封部材は例えば合成ゴムの如き弾性を有した材料により作成されていることが多い。
【発明の概要】
【発明が解決しようとする課題】
【０００４】
上記物質が液体又は気体の場合、上記物質が密封部材に触れると密封部材が膨潤して密封部材の弾性が低下することがある。この時に密封容器内の圧力が高まると圧力上昇により密封部材が圧縮されて密封部材による上記隙間の密封効果が低下する。
【０００５】
上記密封効果の低下を防止するには、蓋により密封部材を容器本体の外表面において上記開口を取り囲む部分又は上記開口の内周辺に押圧する力を強めれば良いが、このようにすると、蓋と密封部材と容器本体の外表面において上記開口を取り囲む部分又は上記開口の内周辺との間、或いは蓋と容器本体の表面において蓋が接触するようになる部分とに大きな摩擦抵抗が生じるようになる。この結果として、蓋を容器本体の上記開口から取り外す作業が困難になったり、蓋，密封部材，容器本体の外表面において上記開口を取り囲む部分又は上記開口の内周面，或いは容器本体の表面において蓋が接触するようになる部分に負荷される力が増大してこれ等が破損する可能性が生じる。
【０００６】
このような密封容器の一例は、有機溶剤を噴霧する為のスプレイ装置である。
【０００７】
この発明は上記事情の下でなされ、この発明の目的は、密封部材による密封効果を低下させることがなく、しかも、蓋を容器本体の上記開口から取り外す作業を困難にすることを無くし、また蓋，密封部材，容器本体の表面において密封部材又は蓋に押圧される部分を破損させる可能性を無くすことが出来る、密封容器シール構造を提供することである。
【課題を解決するための手段】
【０００８】
上述したこの発明の目的を達成する為にこの発明に従った密封容器シール構造は：密封しようとする物質が透過できない材料で作成され、物質を出し入れする為の開口を有し、開口から入れられた物質を保持する物質保持空間を提供する容器本体と；上記物質が透過できない材料で作成され、容器本体の上記開口内に配置される開口内配置部分及び上記開口内配置部分を上記開口内に配置させることにより容器本体の外表面において上記開口の周縁を取り囲む開口周縁部分に対面する開口周縁対面部分を有していて、容器本体の上記開口内に開口内配置部分を配置させるとともに容器本体の外表面の開口周縁部分に開口周縁対面部分を対面させることにより上記開口を閉塞し上記開口に着脱可能に固定される蓋と；を備えた密封容器において、容器本体の開口と蓋との間の隙間を密封する密封容器シール構造である。
【０００９】
そして、この発明に従った密封容器シール構造は：弾性を有した材料により形成され、蓋の上記開口内配置部分の外周辺に沿い配置された環状の密封部材と；上記物質が透過できず上記物質により寸法を変化させることが無い材料で環状に作成され、上記開口の内周辺に沿い配置され、蓋の上記開口内配置部分が容器本体の上記開口内に配置されたときに密封部材を蓋の上記開口内配置部分の外周辺上に押圧するとともに上記開口周縁対面部分上に押圧し、さらに密封部材を上記開口の中心線に沿った方向における密封部材の寸法の半分以上を上記開口の半径方向の外方から覆う密封部材保持体と；を備えている、ことを特徴としている。
【発明の効果】
【００１０】
前述した如く構成されたことを特徴とするこの発明に従った密封容器シール構造では：容器本体の開口を蓋により閉塞する為に容器本体の開口内に蓋の開口内配置部分を配置すると、弾性を有した材料により形成され蓋の上記開口内配置部分の外周辺に沿い配置された環状の密封部材が、容器本体の物質保持空間に保持された物質が透過できず上記物質により寸法を変化させることが無い材料で環状に作成され上記開口の内周辺に沿い配置されている密封部材保持体により蓋の上記開口内配置部分の外周辺上に押圧されるとともに上記開口周縁対面部分上に押圧される。密封部材保持体はさらに、密封部材を蓋の上記開口の中心線に沿った方向における密封部材の寸法の半分以上を上記開口の半径方向の外方から覆う。
【００１１】
密封部材保持体は、容器本体の開口を蓋により閉塞する為に容器本体の開口内に蓋の開口内配置部分を配置したときに、蓋が密封部材を蓋の上記開口内配置部分に沿った方向における密封部材の寸法の半分以上に圧縮することを阻止し、又蓋と密封部材と密封部材保持体との間に過大な摩擦抵抗を発生させたり蓋と容器本体の表面において蓋が接触する部分に過大な押圧力を発生させることを阻止する。
【００１２】
蓋を容器本体の上記開口から取り外す作業を困難にすることを無くし、また蓋，密封部材，容器本体の表面において密封部材又は蓋に押圧される部分を破損させる可能性を無くすことが出来る。しかも、密封部材が容器本体の物質保持空間に保持された物質により膨潤して弾性が低下し、さらに物質保持空間内の圧力が高まっても、密封部材は上記開口の中心線に沿った方向における密封部材の寸法の半分以上には圧縮されないので、密封部材は容器本体の上記開口の内周辺と蓋の開口内配置部分の外周辺との間に隙間を生じさせることがなく、密封部材による密封効果を低下させることがない。
【図面の簡単な説明】
【００１３】
【図１】図１の（Ａ）は、この発明の一実施形態に従った密封容器シール構造を備えた密封容器の一例としてのスプレイ装置の外観図であり；  図１の（Ｂ）は、図１の（Ａ）のスプレイ装置において密封容器シール構造を使用している部分のＢ−Ｂ断面線に沿って拡大された縦断面図であり；そして、  図１の（Ｃ）は、図１の（Ｂ）において一点鎖線で描かれている丸囲い線により囲まれた区域Ｃ中の密封容器シール構造のさらなる拡大図である。
【発明を実施するための形態】
【００１４】
以下、添付の図１の（Ａ）乃至（Ｃ）を参照しながら、この発明の一実施形態に従った密封容器シール構造１０を採用した密封容器１２及び密封容器シール構造１０について詳細に説明する。
【００１５】
この発明の一実施形態に従った密封容器シール構造１０を採用した密封容器１２の一例としてのスプレイ装置の外観が図１の（Ａ）中に示されており、図１の（Ａ）のスプレイ装置において密封容器シール構造を使用している部分の拡大された縦断面図が図１の（Ｂ）中に示されている。
【００１６】
密封容器１２は、物質を出し入れする為の開口１２ａを有し、開口１２ａから入れられた物質１４を保持する物質保持空間を提供する容器本体１５を備えている。密封容器１２の一例としてのスプレイ装置の容器本体１５が保持する物質１４は、従来の密封部材を構成している合成ゴムを膨潤させてその弾性を低下させる物質であり、このような物質としては例えば種々の有機溶剤を含む。
【００１７】
とはいうものの、容器本体１５の物質保持空間中に保持する物質は、このようなものに限られず、容器本体１５中に保持しても容器本体１５を破損させることがなく、また上記スプレイ装置により噴霧可能なものであれば何でも良い。
【００１８】
この実施形態において容器本体１５は、実際に開口１２ａが形成されているとともに物質保持空間が形成されている物質保持部材１２ｂと、開口１２ａを取り囲む円筒形状のアタッチメント取り付け部材１２ｃと、を有している。この実施形態においてアタッチメント取り付け部材１２ｃは、複数の筒状部材を組み合わせることにより構成されている。複数の筒状部材及び物質保持部材１２ｂの外表面における開口１２ａの周辺は相互間に例えばＯ−リングの如き環状の弾性密封部材ＳＭを介し相互間が密封された状態で相互に着脱可能に固定されている。これら相互の着脱可能な固定は、この実施形態では螺合により達成されている。
【００１９】
物質保持部材１２ｂ及びアタッチメント取り付け部材１２ｃの複数の筒状部材は、密封しようとする物質１４が透過できない材料で作成され、この一例ではある種の合成樹脂により射出成型加工されている。
【００２０】
物質保持部材１２ｂの開口１２ａに対し円筒形状のアタッチメント取り付け部材１２ｃの複数の筒状部材を複数の弾性密封部材ＳＭを介して着脱可能に固定する構造は、従来から知られている。この従来の着脱可能固定構造は、物質保持部材１２ｂの物質保持空間中に前述した如き従来の弾性密封部材ＳＭを膨潤させてその弾性を低下させる例えば種々の有機溶剤の如き物質が保持されていても、さらにはこの物質保持空間中に容器本体１５の物質保持部材１２ｂやアタッチメント取り付け部材１２ｃが耐えられる程度の圧力が加わっていても、漏れを生じさせることなく物質保持空間中に確実に保持可能なことが実証されている。
【００２１】
アタッチメント取り付け部材１２ｃの複数の筒状部材においてアタッチメント取り付け部材１２ｃの外表面を提供している筒状部材の外表面には、上記スプレイ装置の操作者が片方の手で把持可能な把持ハンドル１２ｅが外方に突出して固定されている。
【００２２】
アタッチメント取り付け部材１２ｃの外表面を提供している筒状部材の外表面にはさらに、アタッチメント取り付け部材１２ｃの中心開口１２ｄに連通した公知のノズルユニット１８が取り付けられている。把持ハンドル１２ｅには、ノズルユニット１８のオン−オフ操作を行う為のノズルユニット操作レバー１２ｆが設けられている。
【００２３】
密封容器１２はさらに、容器本体１５の物質保持部材１２ｂの開口１２ａに、この実施形態では物質保持部材１２ｂの開口１２ａを取り囲んでいるアタッチメント取り付け部材１２ｃの中心開口１２ｄに、着脱可能に固定され、中心開口１２ｄ、ひいては開口１２ａ、を覆う蓋１６を含んでいる。
【００２４】
容器本体１５の物質保持部材１２ｂの開口１２ａ、この実施形態では物質保持部材１２ｂの開口１２ａを取り囲んでいるアタッチメント取り付け部材１２ｃの中心開口１２ｄ、と蓋１６との間には、図１の（Ｂ）中に一点鎖線で描かれている丸囲い線により囲まれた区域Ｃに、容器本体１５の物質保持部材１２ｂの開口１２ａ、この実施形態では物質保持部材１２ｂの開口１２ａを取り囲んでいるアタッチメント取り付け部材１２ｃの中心開口１２ｄ、と蓋１６との間の隙間を密封する密封容器シール構造１０が介在されている。密封容器シール構造１０の詳細は、図１の（Ｃ）を参照しながら後に詳細に説明される。
【００２５】
この一例において蓋１６には、容器本体１５の物質保持部材１２ｂの開口１２ａを取り囲んでいるアタッチメント取り付け部材１２ｃの中心開口１２ｄ中に配置されたポンプユニット２０が組み込まれている。ポンプユニット２０は、物質保持部材１２ｂの物質保持空間中に保持された物質１４を加圧するとともに、加圧された物質１４をアタッチメント取り付け部材１２ｃの中心開口１２ｄに連通した前述の公知のノズルユニット１８へ導くよう構成されている。
【００２６】
ポンプユニット２０は、容器本体１５の物質保持部材１２ｂの開口１２ａを取り囲んでいるアタッチメント取り付け部材１２ｃの中心開口１２ｄを介して物質保持部材１２ｂの開口１２ａ内に配置された筒形状のシリンダ部材２０ａと、シリンダ部材２０ａにシリンダ部材２０ａの長手方向に往復移動可能に組み込まれたピストン部材２０ｂと、を含む。シリンダ部材２０ａは、アタッチメント取り付け部材１２ｃの中心開口１２ｄに取り囲まれる基端部と、アタッチメント取り付け部材１２ｃの中心開口１２ｄから物質保持部材１２ｂの物質保持空間の底の近傍まで延出し物質保持空間中に保持された物質１４に浸された延出端部と、を有する。ピストン部材２０ｂは、シリンダ部材２０ａの長手方向に往復移動されることにより外気を加圧して物質保持部材１２ｂの物質保持空間中に送り込む。
【００２７】
この実施形態では、蓋１６は、ポンプユニット２０のシリンダ部材２０ａの基端部の外周面が容器本体１５の物質保持部材１２ｂの開口１２ａを取り囲んでいるアタッチメント取り付け部材１２ｃの中心開口１２ｄの内周面に螺合されることにより、容器本体１５の物質保持部材１２ｂの開口１２ａに着脱可能に固定される。
【００２８】
シリンダ部材２０ａには、容器本体１５の物質保持部材１２ｂの物質保持空間中で上述した如く加圧された物質１４をアタッチメント取り付け部材１２ｃの中心開口１２ｄに連通した前述の公知のノズルユニット１８へ導く図示されていない加圧物質送り通路が形成されている。
【００２９】
容器本体１５の物質保持部材１２ｂの物質保持空間中で上述した如く加圧されシリンダ部材２０ａの上述した図示されていない加圧物質送り通路によりノズルユニット１８へと送られた物質１４は、アタッチメント取り付け部材１２ｃの把持ハンドル１２ｅのノズルユニット操作レバー１２ｆが操作されることによりノズルユニット１８を介し外部空間中に噴霧されまたこの噴霧が停止される。
【００３０】
蓋１６に組み込まれているポンプユニット２０のシリンダ部材２０ａは、容器本体１５の物質保持部材１２ｂの開口１２ａを取り囲んでいるアタッチメント取り付け部材１２ｃの中心開口１２ｄから外部空間に突出している外部空間突出区域２０ｃをさらに含む。シリンダ部材２０ａの外部空間突出区域２０ｃには、前述した図示されていない加圧物質送り通路に連通されている公知の安全弁ユニット２２が取り付けられている。安全弁ユニット２２は、前述した図示されていない加圧物質送り通路内の加圧された物質１４の圧力が所定の値よりも大きくなったときに自動的に開放されて前述した図示されていない加圧物質送り通路内から加圧された物質１４を外部空間中に排出させる。これにより、前述した図示されていない加圧物質送り通路内の加圧された物質１４の圧力が所定の値よりも大きくなって、前述した図示されていない加圧物質送り通路を有したポンプユニット２０のシリンダ部材２０ａ、ひいては容器本体１５の物質保持部材１２ｂ、を破損させることを確実に防止する。
【００３１】
ポンプユニット２０が組み込まれている蓋１６もまた、物質１４が透過できない材料により作成されていて、この一例ではある種の合成樹脂により射出成型加工されている。
【００３２】
この一例では、蓋１６に組み込まれているポンプユニット２０のシリンダ部材２０ａにおいて、容器本体１５の物質保持部材１２ｂの開口１２ａを取り囲んでいるアタッチメント取り付け部材１２ｃの中心開口１２ｄを介して容器本体１５の物質保持部材１２ｂの物質保持空間中に配置される前記基端部及び前記延出端部が、開口内配置部分を構成している。また、シリンダ部材２０ａの外部空間突出区域２０ｃが、容器本体１５の物質保持部材１２ｂの外表面において開口１２ａの周縁を取り囲む開口周縁部分、この一例ではアタッチメント取り付け部材１２ｃの外表面において中心開口１２ｄを取り囲む開口周縁部分１２ｇ、に対面する開口周縁対面部分２０ｄを有している。
【００３３】
このようなポンプユニット２０が組み込まれている蓋１６は公知である。
【００３４】
次に、図１の（Ｂ）に加えて図１の（Ｃ）を参照しながら、この発明の一実施形態に従った密封容器シール構造１０の詳細を説明する。
【００３５】
密封容器シール構造１０は、弾性を有した材料により形成され、蓋１６のポンプユニット２０のシリンダ部材２０ａの前述した開口内配置部分の外周辺に沿い配置された環状の密封部材１０ａを含む。この一実施形態において環状の密封部材１０ａは、公知のＯ−リングにより構成されていて、前述した開口内配置部分の上記外周辺においてシリンダ部材２０ａの外部空間突出区域２０ｃの開口周縁対面部分２０ｄとの交差領域に位置している。
【００３６】
密封容器シール構造１０はさらに、物質１４が透過できず物質１４により寸法を変化させることが無い材料で環状に作成され容器本体１５の物質保持部材１２ｂの開口１２ａの内周辺に沿い配置された密封部材保持体１０ｂを備えている。この実施形態において環状の密封部材保持体１０ｂはある種の合成樹脂により射出成型加工されており、容器本体１５の物質保持部材１２ｂの開口１２ａを取り囲んでいるアタッチメント取り付け部材１２ｃの中心開口１２ｄの内周辺において、蓋１６のポンプユニット２０のシリンダ部材２０ａの前述した開口内配置部分の前述した基端部の外周辺上でシリンダ部材２０ａの外部空間突出区域２０ｃの開口周縁対面部分２０ｄに隣接した部位に対面して配置されている。密封部材保持体１０ｂの材料は、密封部材１０ａの材料の弾性よりも小さな弾性を有している。
【００３７】
密封部材保持体１０ｂの外周面の一部分が、上記外周面の周方向に延出し環状に形成され、上記外周面の他部分から上記外周面の半径方向の外方に向かい突出した環状突出部１０ｃを有している。密封部材保持体１０ｂの外周面の環状突出部１０ｃは、密封部材保持体１０ｂが容器本体１５の物質保持部材１２ｂの開口１２ａの内周辺に沿い配置されたときに、この実施形態では容器本体１５の物質保持部材１２ｂの開口１２ａを取り囲んでいるアタッチメント取り付け部材１２ｃの中心開口１２ｄの内周辺に沿い配置されたときに、容器本体１５の物質保持部材１２ｂの開口１２ａの内周辺に、この実施形態では容器本体１５の物質保持部材１２ｂの開口１２ａを取り囲んでいるアタッチメント取り付け部材１２ｃの中心開口１２ｄの内周辺に、接触する。
【００３８】
密封部材保持体１０ｂの外周面の断面は、図１の（Ｃ）中に明確に示されている如く、環状突出部１０ｃを頂点としたテーパ形状をしている。
【００３９】
容器本体１５の物質保持部材１２ｂの開口１２ａの内周辺、この実施形態では容器本体１５の物質保持部材１２ｂの開口１２ａを取り囲んでいるアタッチメント取り付け部材１２ｃの中心開口１２ｄの内周辺、には、中心開口１２ｄの中心線に沿った方向における密封部材保持体１０ｂの位置決めをする為の段部１２ｈが形成されている。
【００４０】
段部１２ｈには、密封部材保持体１０ｂが容器本体１５の物質保持部材１２ｂの開口１２ａの内周辺に沿い、この実施形態では容器本体１５の物質保持部材１２ｂの開口１２ａを取り囲んでいるアタッチメント取り付け部材１２ｃの中心開口１２ｄの内周辺に沿い、配置されたときに、密封部材保持体１０ｂにおいて蓋１６のポンプユニット２０のシリンダ部材２０ａの外部空間突出区域２０ｃの開口周縁対面部分２０ｄとは反対側を向いた反対側部分である内端面が接触することにより、アタッチメント取り付け部材１２ｃの中心開口１２ｄの中心線に沿った方向における密封部材保持体１０ｂの位置決めが行われる。
【００４１】
このとき、密封部材保持体１０ｂにおいて蓋１６のポンプユニット２０のシリンダ部材２０ａの外部空間突出区域２０ｃの開口周縁対面部分２０ｄに対面した外端面は、容器本体１５の物質保持部材１２ｂの開口１２ａを取り囲んでいるアタッチメント取り付け部材１２ｃの中心開口１２ｄを取り囲んでいる開口周縁部分１２ｇよりも中心開口１２ｄの中心線に沿った方向において外方に突出している。
【００４２】
そして、密封部材保持体１０ｂの上記内端面には、密封部材保持体１０ｂの中心を中心とした環状の凹所１０ｄが形成されている。
【００４３】
図１の（Ｂ）及び図１の（Ｃ）中に示されている如く、蓋１６のポンプユニット２０のシリンダ部材２０ａの前述した開口内配置部分が容器本体１５の物質保持部材１２ｂの開口１２ａを取り囲んでいるアタッチメント取り付け部材１２ｃの中心開口１２ｄに挿入された後に、ポンプユニット２０のシリンダ部材２０ａの前述した開口内配置部分の前述した基端部の外周辺が容器本体１５の物質保持部材１２ｂの開口１２ａを取り囲んでいるアタッチメント取り付け部材１２ｃの中心開口１２ｄの内周辺に螺合されることにより、蓋１６が容器本体１５の物質格納部材１２ｂの開口１２ａに着脱可能に固定される。
【００４４】
このときには、密封部材保持体１０ｂの内周面が密封部材１０ａを、蓋１６のポンプユニット２０のシリンダ部材２０ａの前述した開口内配置部分の前述した基端部の外周辺においてシリンダ部材２０ａの外部空間突出区域２０ｃの開口周縁対面部分２０ｄと交差する交差領域に押圧し、この結果として密封部材１０ａは上記外周辺の基端部上に押圧されるとともに開口周縁対面部分２０ｄ上にも押圧される。また同時に、容器本体１５の物質保持部材１２ｂの開口１２ａの内周辺、この実施形態では容器本体１５の物質保持部材１２ｂの開口１２ａを取り囲んでいるアタッチメント取り付け部材１２ｃの中心開口１２ｄの内周辺、の段部１２ｈに対する密封部材保持体１０ｂの上記反対側部分である上記内端面の当接力が強まる。即ち、アタッチメント取り付け部材１２ｃの中心開口１２ｄの内周辺の段部１２ｈと密封部材保持体１０ｂの上記反対側部分である上記内端面との間の密封度が向上する。
【００４５】
蓋１６が容器本体１５の物質保持部材１２ｂの開口１２ａ、この実施形態では容器本体１５の物質保持部材１２ｂの開口１２ａを取り囲んでいるアタッチメント取り付け部材１２ｃの中心開口１２ｄ、に前述した如く着脱可能に固定されたとき、密封部材保持体１０ｂは、密封部材１０ａを開口１２ａの中心線に沿った方向における密封部材１０ａの寸法の半分以上を開口１２ａの半径方向の外方から覆う。
【００４６】
この実施形態においては、密封部材保持体１０ｂの内周面は、蓋１６のポンプユニット２０のシリンダ部材２０ａの外部空間突出区域２０ｃの開口周縁対面部分２０ｄに隣接した第１領域ＩＳ１と、第１領域ＩＳ１に対し上記内周面の中心線に沿った方向において蓋１６の開口周縁対面部分２０ｄとは反対側に位置した第２領域ＩＳ２と、を含んでいる。
【００４７】
そして第１領域ＩＳ１は、蓋１６のポンプユニット２０のシリンダ部材２０ａの外部空間突出区域２０ｃの開口周縁対面部分２０ｄに接近するのに伴い径を拡大させるテーパ形状に形成されている。テーパ形状の第１領域ＩＳ１は、蓋１６のポンプユニット２０のシリンダ部材２０ａの前述した開口内配置部分が容器本体１５の物質保持部材１２ｂの開口１２ａを取り囲んでいるアタッチメント取り付け部材１２ｃの中心開口１２ｄに挿入された後に、ポンプユニット２０のシリンダ部材２０ａの前述した開口内配置部分の前述した基端部の外周辺が容器本体１５の物質保持部材１２ｂの開口１２ａを取り囲んでいるアタッチメント取り付け部材１２ｃの中心開口１２ｄの内周辺に螺合されることにより、密封部材１０ａを蓋１６のポンプユニット２０のシリンダ部材２０ａの前述した開口内配置部分の前述した基端部の外周辺においてシリンダ部材２０ａの外部空間突出区域２０ｃの開口周縁対面部分２０ｄとの交差領域上に押圧するとともに開口周縁対面部分２０ｄ上に押圧し弾性的に圧縮する。
【００４８】
第２領域ＩＳ２は、第１領域ＩＳ１における最も小さな直径よりも大きな直径を有し第１領域ＩＳ１との間に段部１０ｅを形成している。
【００４９】
蓋１６のポンプユニット２０のシリンダ部材２０ａの前述した開口内配置部分の前述した基端部の外周辺は、蓋１６のポンプユニット２０のシリンダ部材２０ａの前述した開口内配置部分が容器本体１５の物質保持部材１２ｂの開口１２ａを取り囲んでいるアタッチメント取り付け部材１２ｃの中心開口１２ｄに挿入された後に、蓋１６のポンプユニット２０のシリンダ部材２０ａの前述した開口内配置部分の前述した基端部の外周辺が容器本体１５の物質保持部材１２ｂの開口１２ａを取り囲んでいるアタッチメント取り付け部材１２ｃの中心開口１２ｄの内周辺に螺合され、さらに密封部材保持体１０ｂにおいて蓋１６のポンプユニット２０のシリンダ部材２０ａの外部空間突出区域２０ｃの開口周縁対面部分２０ｄに対面している外端面に対し蓋１６のポンプユニット２０のシリンダ部材２０ａの外部空間突出区域２０ｃの開口周縁対面部分２０ｄが接触したときに、密封部材保持体１０ｂの内周面の段部１０ｅよりも、蓋１６のポンプユニット２０のシリンダ部材２０ａの前述した開口内配置部分の外周辺の中心線に沿った方向において蓋１６のポンプユニット２０のシリンダ部材２０ａの外部空間突出区域２０ｃの開口周縁対面部分２０ｄから遠い位置に配置される突起２０ｅを含む。
【００５０】
突起２０ｅは、蓋１６のポンプユニット２０のシリンダ部材２０ａの前述した開口内配置部分の中心線の半径方向において、また容器本体１５の物質保持部材１２ｂの開口１２ａを取り囲んでいるアタッチメント取り付け部材１２ｃの中心開口１２ｄの中心線の半径方向において、外方に向かい突出し上記半径方向において密封部材保持体１０ｂの内周面の段部１０ｅよりも大きな寸法を有している。
【００５１】
突起２０ｅは、蓋１６のポンプユニット２０のシリンダ部材２０ａの前述した開口内配置部分が容器本体１５の物質保持部材１２ｂの開口１２ａを取り囲んでいるアタッチメント取り付け部材１２ｃの中心開口１２ｄに挿入された後に、ポンプユニット２０のシリンダ部材２０ａの前述した開口内配置部分の前述した基端部が容器本体１５の物質保持部材１２ｂの開口１２ａを取り囲んでいるアタッチメント取り付け部材１２ｃの中心開口１２ｄの内周辺に螺合されることにより、密封部材保持体１０ｂの内周面のテーパ形状の第１領域ＩＳ１に摺接して段部１０ｅをその材料の弾性により弾性的に拡径させた後に段部１０ｅを通過する。突起２０ｅを通過させた後の密封部材保持体１０ｂの段部１０ｅはその材料の弾性により段部１０ｅを通過させる以前の寸法に復帰する。
【００５２】
図１の（Ｃ）中に図示されている如く、容器本体１５の物質保持部材１２ｂの開口１２ａを取り囲んでいるアタッチメント取り付け部材１２ｃの中心開口１２ｄの内周辺の段部１２ｂ上に位置決めされている密封部材保持体１０ｂは、その前記外端面に対し蓋１６のポンプユニット２０のシリンダ部材２０ａの外部空間突出区域２０ｃの開口周縁対面部分２０ｄが接触したときに、開口１２ａの中心線に沿った方向における密封部材１０ａの寸法の全体を開口１２ａの半径方向の外方から覆う。
【００５３】
上記接触は、容器本体１５の物質保持部材１２ｂの開口１２ａを取り囲んでいるアタッチメント取り付け部材１２ｃの中心開口１２ｄの内周辺に対するポンプユニット２０のシリンダ部材２０ａの前述した開口内配置部分の前述した基端部の外周辺のそれ以上の螺合を阻止する。この為に、密封部材保持体１０ｂの内周辺のテーパ形状の第１領域ＩＳ１と蓋１６のポンプユニット２０のシリンダ部材２０ａの外部空間突出区域２０ｃの開口周縁対面部分２０ｄとの間の密封部材１０ａのそれ以上の圧縮による密封部材１０ａの損傷を確実に阻止する。
【００５４】
上記接触はさらに、容器本体１５の物質保持部材１２ｂの開口１２ａの内周辺、この実施形態では容器本体１５の物質保持部材１２ｂの開口１２ａを取り囲んでいるアタッチメント取り付け部材１２ｃの中心開口１２ｄの内周辺、の段部１２ｈに対する密封部材保持体１０ｂの上記反対側部分である上記内端面の当接力をさらに強める。即ち、アタッチメント取り付け部材１２ｃの中心開口１２ｄの内周辺の段部１２ｈと密封部材保持体１０ｂの上記反対側部分である上記内端面との間の密封度がさらに向上される。また、密封部材保持体１０ｂの上記反対側部分である上記内端面の環状凹所１０ｄは、アタッチメント取り付け部材１２ｃの中心開口１２ｄの内周辺の段部１２ｈに対する密封部材保持体１０ｂの上記反対側部分である上記内端面の当接面積を減少させ、ひいては、アタッチメント取り付け部材１２ｃの中心開口１２ｄの内周辺の段部１２ｈに対する密封部材保持体１０ｂの上記反対側部分である上記内端面の密封度をよりさらに向上させる。
【００５５】
容器本体１５の物質保持空間中の圧力が蓋１６のポンプユニット２０により高められると、アタッチメント取り付け部材１２ｃの中心開口１２ｄの内周辺の段部１２ｈ上の密封部材保持体１０ｂはその弾性力により拡径し、そのテーパ形状外周面の環状突出部１０ｃを、容器本体１５の物質保持部材１２ｂの開口１２ａの内周辺、この実施形態では容器本体１５の物質保持部材１２ｂの開口１２ａを取り囲んでいるアタッチメント取り付け部材１２ｃの中心開口１２ｄの内周辺、に当接させ密着させる。
【００５６】
とはいうものの、密封部材保持体１０ｂの上記反対側部分である上記内端面の環状凹所１０ｄが、アタッチメント取り付け部材１２ｃの中心開口１２ｄの内周辺の段部１２ｈに対する密封部材保持体１０ｂの上記反対側部分である上記内端面の当接面積を減少させており、また、アタッチメント取り付け部材１２ｃの中心開口１２ｄの内周辺の段部１２ｈ上の密封部材保持体１０ｂのテーパ形状外周面の環状突出部１０ｃもまたアタッチメント取り付け部材１２ｃの中心開口１２ｄの内周辺に対する密封部材保持体１０ｂの外周面の当接面積を減少させているので、前述した圧力上昇によるこれらのいわゆる膠着を効果的に阻止している。
【００５７】
容器本体１５の物質保持部材１２ｂの開口１２ａを取り囲んでいるアタッチメント取り付け部材１２ｃの中心開口１２ｄの内周辺に対するポンプユニット２０のシリンダ部材２０ａの前述した開口内配置部分の前述した基端部の外周辺の前述した螺合が緩むことにより、アタッチメント取り付け部材１２ｃの中心開口１２ｄから離脱するよう蓋１６のポンプユニット２０のシリンダ部材２０ａの前述した開口内配置部分がアタッチメント取り付け部材１２ｃの中心開口１２ｄの中心線に沿い容器本体１５の物質保持空間中から遠ざかる方向に移動する。この結果として、容器本体１５の物質保持部材１２ｂの開口１２ａを取り囲んでいるアタッチメント取り付け部材１２ｃの中心開口１２ｄの内周辺の段部１２ｂ上に位置決めされている密封部材保持体１０ｂの前述した外端面と蓋１６のポンプユニット２０のシリンダ部材２０ａの外部空間突出区域２０ｃの開口周縁対面部分２０ｄとの間にアタッチメント取り付け部材１２ｃの中心開口１２ｄの中心線に沿った方向に隙間が生じる。
【００５８】
この間には、容器本体１５の物質保持部材１２ｂの開口１２ａを取り囲んでいるアタッチメント取り付け部材１２ｃの中心開口１２ｄの内周辺の段部１２ｂ上に位置決めされている密封部材保持体１０ｂの内周面の段部１０ｅに対し、蓋１６のポンプユニット２０のシリンダ部材２０ａの前述した開口内配置部分の基端部の外周辺の突起２０ｅが接近し、容器本体１５の物質保持部材１２ｂの開口１２ａを取り囲んでいるアタッチメント取り付け部材１２ｃの中心開口１２ｄの中心線に沿った方向において当接し係合する。この当接、即ち係合、中も、密封部材保持体１０ｂの内周面のテーパ形状の第１領域ＩＳ１は蓋１６のポンプユニット２０のシリンダ部材２０ａの外部空間突出区域２０ｃの開口周縁対面部分２０ｄと協働して密封部材１０ａを弾性的に押圧し続け、密封部材保持体１０ｂは依然として密封部材１０ａを開口１２ａの中心線に沿った方向における密封部材１０ａの寸法の半分以上を開口１２ａの半径方向の外方から覆う。そして、容器本体１５の物質保持部材１２ｂの物質保持空間内の圧力により密封部材１０ａが、密封部材保持体１０ｂの前述した外端面と蓋１６のポンプユニット２０のシリンダ部材２０ａの外部空間突出区域２０ｃの開口周縁対面部分２０ｄとの間に生じた前述した隙間から飛び出することが確実に阻止される。
【００５９】
上述した当接、即ち係合、以降は、密封部材保持体１０は、蓋１６のポンプユニット２０のシリンダ部材２０ａの前述した開口内配置部分と伴に、容器本体１５の物質保持部材１２ｂの開口１２ａを取り囲んでいるアタッチメント取り付け部材１２ｃの中心開口１２ｄの内周辺に対し中心開口１２ｄの中心線に沿い容器本体１５の外部空間に向かい移動し、外部空間中に引き出される。この間にも、密封部材保持体１０ｂの段部１０ｅに対する蓋１６のポンプユニット２０のシリンダ部材２０ａの前述した開口内配置部分の基端部の外周辺の突起２０ｅの前述した当接、即ち係合、が維持されるお蔭で、密封部材保持体１０ｂは蓋１６のポンプユニット２０のシリンダ部材２０ａの前述した開口内配置部分の基端部の外周辺から分離されることがない。
【００６０】
上述した当接、即ち係合、以降は、容器本体１５の物質保持部材１２ｂの開口１２ａを取り囲んでいるアタッチメント取り付け部材１２ｃの中心開口１２ｄの内周辺の段部１２ｂ上から密封部材保持体１０ｂの前述した内端面が分離され、また密封部材保持体１０ｂのテーパ形状の外周面の環状突出部１０ｃが、容器本体１５の物質保持部材１２ｂの開口１２ａの内周辺、この実施形態では容器本体１５の物質保持部材１２ｂの開口１２ａを取り囲んでいるアタッチメント取り付け部材１２ｃの中心開口１２ｄの内周辺、から外部空間に離脱する。
【００６１】
このときに、前述した如く、前述した圧力上昇による、密封部材保持体１０ｂの上記反対側部分である上記内端面の環状凹所１０ｄがアタッチメント取り付け部材１２ｃの中心開口１２ｄの内周辺の段部１２ｈに対する密封部材保持体１０ｂの上記反対側部分である上記内端面のいわゆる膠着を効果的に阻止しており、また、アタッチメント取り付け部材１２ｃの中心開口１２ｄの内周辺の段部１２ｈ上の密封部材保持体１０ｂのテーパ形状外周面の環状突出部１０ｃもまたアタッチメント取り付け部材１２ｃの中心開口１２ｄの内周辺に対する密封部材保持体１０ｂの外周面のいわゆる膠着を効果的に阻止しているので、前述した離脱は容易に行うことが出来る。
【符号の説明】
【００６２】
１０…密封容器シール構造、１０ａ…密封部材、１０ｂ…密封部材保持体、１０ｃ…環状突出部、１０ｄ…環状凹所、１０ｅ…段部、１２…密封容器、１２ａ…開口、１２ｂ…物質保持部材（容器本体）、１２ｃ…アタッチメント取り付け部材（容器本体）、１２ｄ…中心開口、ＳＭ…弾性密封部材、１２ｅ…把持ハンドル、１２ｆ…ノズルユニット操作レバー、１２ｇ…開口周縁部分、１２ｈ…段部、１４…物質、１５…容器本体、１６…蓋、１８…ノズルユニット、Ｃ…区域、２０…ポンプユニット、２０ａ…シリンダ部材、２０ｂ…ピストン部材、２０ｃ…外部空間突出区域、２０ｄ…開口周縁対面部分、２０ｅ…突起、ＩＳ１…第１領域、ＩＳ２…第２領域、２２…安全弁ユニット。
【図１】
0005393842.tif 000002